(57)【要約】【課題】光ディスク装置において、ターンテーブルの高さ調整を、簡単・容易に行え、かつ、チルト変化への影響が殆どないようにすることにある。【解決手段】ターンテーブルをその回転軸に取り付けたスピンドルモータと、スピンドルモータを固定したサブシャーシと、光ピックアップを光ディスクの半径方向に沿って移動可能なように案内するガイド軸を取り付けたベースシャーシと、サブシャーシをベースシャーシ面に対して光ピックアップの移動方向およびこの移動方向と直交する方向にそれぞれ傾き角調整するための調整手段とを、備えた構成において、スピンドルモータの回転軸に圧入したボスまたはスピンドルモータの回転軸に雄ネジ部を形成すると共に、この雄ネジ部に螺合する雌ネジ部をターンテーブルの中心穴に形成し、ターンテーブルをスピンドルモータの回転軸に対して相対回転させることで、ターンテーブルの高さを調整する。【選択図】      図５
2004220714.tif 000002
【特許請求の範囲】
【請求項１】
光ディスクを載置するディスク載置面を有するターンテーブルと、ターンテーブルをその回転軸に取り付けたスピンドルモータと、スピンドルモータを固定したサブシャーシと、光ピックアップを光ディスクの半径方向に沿って移動可能なように案内するガイド軸を取り付けたベースシャーシと、サブシャーシをベースシャーシ面に対して光ピックアップの移動方向およびこの移動方向と直交する方向にそれぞれ傾き角調整するための調整手段とを、備えた光ディスク装置において、
スピンドルモータの回転軸に圧入したボスまたはスピンドルモータの回転軸に雄ネジ部を形成すると共に、この雄ネジ部に螺合する雌ネジ部をターンテーブルの中心穴に形成し、ターンテーブルをスピンドルモータの回転軸に対して相対回転させることで、ターンテーブルの高さを調整できるようにしたことを特徴とするディスク装置。
【請求項２】
請求項１記載において、
前記スピンドルモータの回転軸と直交する方向から、前記ターンテーブルを貫通して、固定ビスを前記スピンドルモータの回転軸に圧入したボスまたはスピンドルモータの回転軸に締め付けることで、ターンテーブルの位置を固定するようにしたことを特徴とするディスク装置。
【請求項３】
請求項１または２記載において、
前記ターンテーブルに、該ターンテーブルを回転させるための治具が嵌る治具嵌め合い部を形成したことを特徴とするディスク装置。
【請求項４】
請求項１ないし３の何れか１項に記載において、
前記スピンドルモータの回転軸に圧入したボスまたは前記スピンドルモータの回転軸に、該回転軸の回転を抑止するための治具が嵌る治具嵌め合い部を形成したことを特徴とするディスク装置。
【請求項５】
請求項２ないし４の何れか１項に記載において、
前記スピンドルモータの回転軸に圧入した前記ボス、または、前記スピンドルモータの回転軸には、その上部に前記雄ネジ部が形成され、この雄ネジ部の下部は円筒部とされて、この円筒部に前記固定ネジの先端が押し付けられることを特徴したディスク装置。
【発明の詳細な説明】
【０００１】
【発明の属する技術分野】
本発明は、光ディスクに情報を記録し再生する、あるいは光ディスクから情報を再生する光ディスク装置に係り、特に、光ディスクを載置するターンテーブルの高さ調整機構に関するものである。
【０００２】
【従来の技術】
図２は、従来技術と後述する本発明の実施の形態とで共用される光ディスク装置の上面側から見た斜視図である。また、図６の（ａ）は、従来技術に係る光ディスク装置における要部側面図、図６の（ｂ）は、従来技術に係る光ディスク装置におけるターンテーブルの平面図である。なお、図２におけるターンテーブルの上面は、後述する本発明の実施の形態の形状で描かれており、従来技術に係る光ディスク装置におけるターンテーブルの上面の形状は、図６の（ｂ）に描かれている。
【０００３】
図２、図６において、１は光ディスク、２はピックアップユニット、２ａはオブジェクトレンズ、３はターンテーブル、４はガイド軸、５はベースシャーシ、５ａはベースシャーシ５に設けられた高さボス、５ｂはベースシャーシに設けられた支軸、６はスピンドルモータ、６ａはスピンドルモータ６の回転軸、７はスレッドモータ、８はサブシャーシ、９〜１１はビス、１２はバネである。
【０００４】
光ディスク装置において、光ディスク１の記録面に記録されている信号は、ピックアップユニット２によって読み取られ、また、ピックアップユニット２によって、光ディスク１の記録面に信号が記録される。この記録された信号を正確に読み取り、または信号を書き込むためには、ＲＦ信号のジッターを最良値にする必要があり、このため、ピックアップユニット２のオブジェクトレンズ２ａと光ディスク１の記録面との距離と角度を適切に保ちつつ、オブジェクトレンズ２ａにより集光されたレーザー光を、光ディスク１に照射する必要がある。
【０００５】
高速で回転する光ディスク１の記録面とオブジェクトレンズ２ａとの間の距離を一定の距離に保ち続けるために、公知のように、ピックアップユニット２のアクチュエーター（図示せず）によってオブジェクトレンズ２ａを上下に駆動することによるフォーカスサーボを行うようになっている。しかし、アクチュエーターの上下制御範囲はわずかなものであり、光ディスク１を装着するターンテーブル３の高さ、傾き、取り付け精度、または光ディスク１の反りなどで、オブジェクトレンズ２ａのアクチュエーターの制御範囲を超えてしまい、制御し切れなくなる。このため、現在では、特に記録精度を必要とする記録用光ディスクのためのディスク装置においては、ターンテーブル３の高さおよび傾きの調整、ガイド軸４の平行度の調整などが不可欠である。
【０００６】
ピックアップユニット２から照射されるレーザー光が、オブジェクトレンズ２ａを通して適切な距離と傾きで集光され、光ディスク１の記録面に焦点を結ぶことで、ＲＦ信号のジッター値が小さくなることが、もっとも正確に信号を読み取りまたは書き込みが出来るとされている。オブジェクトレンズ２ａは、図示せぬアクチュエーターによるフォーカス制御動作によって、フォーカス方向の記録面の距離変化に追従し、レーザー光の焦点が常に光ディスク１の記録面に位置するように制御される。このアクチュエーターのフォーカス方向の可動範囲は限られており、あらかじめ、光ディスク１の高さを規定するターンテーブル３の高さを、アクチュエーターのフォーカス方向の稼動量の中央に相当する位置に調整することで、アクチュエーターのフォーカス調整幅がそれぞれ反対方向の可動範囲の最大を持つことが出来る。これらにより、光ディスク１の反りや、スピンドルモータ６やピックアップユニット２の機械的寸法のばらつきなどを、オブジェクトレンズ２ａのアクチュエーターの可動範囲で補うことが出来る。また、ガイド軸４方向の傾きについても、現在では、図示せぬアクチュエーターによるオブジェクトレンズ２ａのチルト角制御や、ピックアップユニット２をベースシャーシ５よりガイド軸４方向に角度調整自在に取り付けて、正確に信号を読み取りまたは書き込みが出来るように制御される。これらもまた、稼動範囲の中心にターンテーブル３の傾きを調整することで、オブジェクトレンズ２ａのアクチュエーターの傾き稼動範囲の両方向の可動範囲を最大限に持つことが出来る。
【０００７】
図２に示すように、金属板で形成された長方形状のベースシャーシ５には、２本のガイド軸４が光ディスク１の半径方向に平行に配置され、この２本のガイド軸４にピックアップユニット２が挿通されて、オブジェクトレンズ２ａやアクチュエータなどを有するピックアップユニット２が、ベースシャーシ５上に配置されたスレッドモータ７により、ガイド軸４に沿って光ディスク１の半径方向に移送されるようになっている。また、ベースシャーシ５上における光ディスク１の中心部に相当する箇所に配置されたスピンドルモータ６の回転軸６ａには、光ディスク１を水平に装着するためのターンテーブル３が、圧入・固定されている。
【０００８】
スピンドルモータ６は、金属板で形成されたサブシャーシ８にビス（図示せず）によって固定されており、サブシャーシ８は、ベースシャーシ５に３本のビス９、１０、１１などによって取り付けられている。また、サブシャーシ８とベースシャーシ５との間には、３つのバネ１２が介装されている（３本のビス９〜１１に対応する箇所に、３つのバネ１２が介装されている）。
【０００９】
３つのバネ１２のうちの１つは、ベースシャーシ５に設けられた高さボス５ａに遊嵌され、この高さボス５ａには、サブシャーシ５の上側から、サブシャーシ８に穿設した穴を介してビス９が螺合・締結されるようになっている。これにより、サブシャーシ８は、上側から高さボス５ａに螺合されたビス９のビス頭の下面による押下力と下側からのバネ１２の反力とにより、高さ出しがなされるようになっている。また、ベースシャーシ５に取り付けられた支軸５ｂが、サブシャーシ８に穿設された穴を貫通しており、この支軸５ｂと高さボス５ａとにより、サブシャーシ８が上下方向にのみ所定量移動でき、ベースシャーシ５の面と平行な方向には回転しないように位置規制している。
【００１０】
また、３つのバネ１２のうちの別な１つは、高さボス５ａに挿入されたバネ１２を基準にして見て、ピックアップユニット２の移動方向とほぼ平行な線上に配置されており、ベースシャーシ５の下面からこのバネ１２の中央を通ったビス１０が、サブシャーシ８のネジ穴に螺合・締結されている。
【００１１】
また、３つのバネ１２のうちのさらに別な１つは、高さボス５ａに挿入されたバネ１２を基準にして見て、ピックアップユニット２の移動方向とほぼ直交した方向の線上に配置されており、同じくベースシャーシ５の下面からバネ１２の中央を通ったビス１１が、サブシャーシ８のネジ穴に螺合・締結されている。
【００１２】
３つのバネ１２により付勢されたサブシャーシ８は、高さボス５ａに挿入されたバネ１２を基準にして見て、ピックアップユニット２の移動方向とほぼ平行な線上に位置するビス１０を回転させることにより、同方向のターンテーブル３の傾きが調整でき、ターンテーブル３に装着される光ディスク１の同方向の傾きを調整することができる。また、３つのバネ１２により付勢されたサブシャーシ８は、高さボス５ａに挿入されたバネ１２を基準にして見て、ピックアップユニット２の移動方向とほぼ直交する線上に位置するビス１１を回転させることにより、同方向のターンテーブル３の傾きが調整でき、ターンテーブル３に装着される光ディスク１の同方向の傾きを調整することができる。これら調整は、すべてＲＦ信号のジッター値を最良に近づけるために行うものである。
【００１３】
また、図６に示すように、スピンドルモータ６の回転軸６ａに圧入されたターンテーブル３は、あらかじめ組立ての段階で、サブシャーシ８との高さ寸法を管理されるようになっており、オブジェクトレンズ２ａと光ディスク１が適切な距離になるように設計されている。
【００１４】
なお、ターンテーブルの傾きを調整可能とした調整機構を持つディスク装置としては、例えば、特許文献１に記載されているようなものが知られており、この特許文献１においては、スピンドルモータが固定されたモータベース板（サブシャーシ）の１ケ所をベースユニットシャーシ（ベースシャーシ）に固定すると共に、他の１ケ所以上を高さ調整可能に構成し、モータベース板の傾斜角度を自由に調整できるようにしている。
【００１５】
【特許文献１】
特開２００２−１０９８１９号公報
【００１６】
【発明が解決しようとする課題】
図２、図６に示した従来の光ディスク装置では、例えば、ターンテーブル３の高さを調整するために、ガイド軸４に基準となるような治具の足を接地させて基準とし、ターンテーブル３の高さを測定しながら３本の調整ビスを回転させねばならないが、１本でもビスの回転量が適正量からずれるとターンテーブル３の傾きが変化してしまう。このような場合には、再度ターンテーブルのチルトを調整する必要があるが、ターンテーブル３の傾きを再調整すると、今度は折角調整したターンテーブル３の高さが変化する虞がある。かように従来の調整機構では、ターンテーブル３の高さ調整を、３本のビスを操作して行うようになっていたので、ターンテーブル３の高さの調整作業が、煩雑で、時間のかかるものとなっていた。
【００１７】
また、従来技術では、あらかじめターンテーブル３が最適な高さになるよう加工された高さボス５ａをベースシャーシ５に取り付け、ベースシャーシ５とサブシャーシ８との間にバネ１２を挟み込んで、高さボス５ａにビス９を締め付けることで、ビス９の頭下面とバネ１２とで挟まれたサブシャーシ８の高さを決めると共に、ターンテーブル３とスピンドルモータ６の回転軸６ａとの圧入時に、ターンテーブル３とスピンドルモータ６のサブシャーシ取り付け面との高さを適正値に設定することで、ピックアップユニット２のオブジェクトレンズ２ａからのターンテーブル３の高さが、最適値になるように規定するようになっていた。しかしながら、高さボス５ａの高さ寸法のずれや、ターンテーブル３をスピンドルモータ６の回転軸６ａに圧入する際の高さ寸法のずれなどで、ターンテーブル３の高さが設計公差から外れてしまうことがあり、あるいは、極端なチルトずれにより、ターンテーブル３の高さが設計公差から外れてしまうことがある。こうなると、回転軸６ａに圧入されたターンテーブル３は一度スピンドルモータ６から外して再圧入しなければならないが、再圧入は固定・保持する力が弱くなるため、スピンドルモータ６ごとターンテーブル３を破棄しなけらばならなかった。
【００１８】
本発明は上記の点に鑑みなされたもので、光ディスク装置においてターンテーブルの高さ調整を、簡単・容易に行え、かつ、チルト変化への影響が殆どないようにすることにある。また、必要に応じて、ターンテーブルの高さ調整を何度でも行え、スピンドルモータ６ごとターンテーブル３を破棄し交換する必要がない調整機構とすることにより、コストダウンに貢献できるようにすることにある。
【００１９】
【課題を解決するための手段】
上記した目的を達成するために、本発明による光ディスクドライブ装置は、光ディスクを載置するディスク載置面を有するターンテーブルと、ターンテーブルをその回転軸に取り付けたスピンドルモータと、スピンドルモータを固定したサブシャーシと、光ピックアップを光ディスクの半径方向に沿って移動可能なように案内するガイド軸を取り付けたベースシャーシと、サブシャーシをベースシャーシ面に対して光ピックアップの移動方向およびこの移動方向と直交する方向にそれぞれ傾き角調整するための調整手段とを備え、
スピンドルモータの回転軸に圧入したボスまたはスピンドルモータの回転軸に雄ネジ部を形成すると共に、この雄ネジ部に螺合する雌ネジ部をターンテーブルの中心穴に形成し、ターンテーブルをスピンドルモータの回転軸に対して相対回転させることで、ターンテーブルの高さを調整できるように構成する。また、スピンドルモータの回転軸と直交する方向から、ターンテーブルを貫通して、固定ビスを、スピンドルモータの回転軸に圧入したボスまたはスピンドルモータの回転軸に締め付けることで、高さ調整後のターンテーブルの位置を固定するように構成する。
かようにすることによって、ターンテーブルの高さ調整をサブシャーシとは独立して行うので、ターンテーブルの高さ調整を簡単・容易に行え、かつ、チルト変化への影響が殆どないように高さ調整を行うことができので、精度の向上が実現できる。また、固定ビスを緩めることで、必要に応じてターンテーブルの高さ調整を何度でも行え、スピンドルモータ６ごとターンテーブル３を破棄し交換する必要がない調整機構とできるので、コストダウンにも大きく貢献できる。
【００２０】
【発明の実施の形態】
以下、本発明の実施の形態を、図面を用いて説明する。
【００２１】
図１〜図５は、本発明の一実施形態（以下、本実施形態と称す）による光ディスク装置に係り、図１は本実施形態の光ディスク装置の平面図、図２は本実施形態の光ディスク装置の上面から見た斜視図（この図２は、先にも述べたように従来技術の説明にも共用されるものである）、図３は本実施形態の光ディスク装置の側面図、図４の（ａ）は本実施形態の光ディスク装置における一部切断した要部側面図、図４の（ｂ）は本実施形態の光ディスク装置におけるターンテーブルの平面図、図４の（ｃ）は本実施形態の光ディスク装置におけるスピンドルモータの回転軸に圧入されるボスの拡大側面図、図５は本実施形態の光ディスク装置におけるターンテーブル高さ調整の様子を示す説明図である。
【００２２】
図１〜図５において、１は光ディスク、２はピックアップユニット、２ａはオブジェクトレンズ、３はターンテーブル、３ａはターンテーブル３のディスク載置面、３ｂはターンテーブル３の中心穴、３ｃは中心穴３ｂに形成した雌ネジ部、３ｄはターンテーブル３の下部ボス部に穿設した軸心と直交する貫通ネジ穴、３ｅはターンテーブル３の上部に設けた治具挿入穴（治具嵌め合い部）、４はガイド軸、５はベースシャーシ、５ａはベースシャーシ５に設けられた高さボス、５ｂはベースシャーシ５に設けられた支軸、６はスピンドルモータ、６ａはスピンドルモータ６の回転軸、７はスレッドモータ、８はサブシャーシ、９〜１１はビス、１２はバネ、１３はボス、１３ａはボス１３の雄ネジ部、１３ｂはボス１３の円筒部、１３ｃはボス１３のナット部（治具嵌め合い部）、１４は上記貫通ネジ穴３ｄに螺合される固定ビス、１５はサブシャーシ８にスピンドルモータ６を固定する固定ビス、１６は回転用治具、１７は回転阻止用治具である。
【００２３】
金属板で形成された長方形状のベースシャーシ５には、２本のガイド軸４が光ディスク１の半径方向に平行に配置され、この２本のガイド軸４にピックアップユニット２が挿通されて、オブジェクトレンズ２ａやアクチュエータなどを有するピックアップユニット２が、ベースシャーシ５上に配置されたスレッドモータ７により、ガイド軸４に沿って光ディスク１の半径方向に移送されるようになっている。また、ベースシャーシ５上における光ディスク１の中心部に相当する箇所に配置されたスピンドルモータ６の回転軸６ａには、光ディスク１を水平に装着するためのターンテーブル３が取り付けられている。
【００２４】
スピンドルモータ６は、金属板で形成されたサブシャーシ８に固定ビス１５（図４の（ａ））によって固定されており、サブシャーシ８は、ベースシャーシ５に３本のビス９、１０、１１によって取り付けられている。また、サブシャーシ８とベースシャーシ５との間には、３つのバネ１２が介装されている（３本のビス９〜１１に対応する箇所に、３つのバネ１２が介装されている）。
【００２５】
３つのバネ１２のうちの１つは、ベースシャーシ５に設けられた高さボス５ａに遊嵌され、この高さボス５ａには、サブシャーシ５の上側から、サブシャーシ８に穿設した穴を介してビス９が螺合・締結されるようになっている。これにより、サブシャーシ８は、上側から高さボス５ａに螺合されたビス９のビス頭の下面による押下力と下側からのバネ１２の反力とにより、高さ出しがなされるようになっている。また、ベースシャーシ５に取り付けられた支軸５ｂが、サブシャーシ８に穿設された穴を貫通しており、この支軸５ｂと高さボス５ａとにより、サブシャーシ８が上下方向にのみ所定量移動でき、ベースシャーシ５の面と平行な方向には回転しないように位置規制している。
【００２６】
また、３つのバネ１２のうちの別な１つは、高さボス５ａに挿入されたバネ１２を基準にして見て、ピックアップユニット２の移動方向とほぼ平行な線上に配置されており、ベースシャーシ５の下面からこのバネ１２の中央を通ったビス１０が、サブシャーシ８のネジ穴に螺合・締結されている。
【００２７】
また、３つのバネ１２のうちのさらに別な１つは、高さボス５ａに挿入されたバネ１２を基準にして見て、ピックアップユニット２の移動方向とほぼ直交した方向の線上に配置されており、同じくベースシャーシ５の下面からバネ１２の中央を通ったビス１１が、サブシャーシ８のネジ穴に螺合・締結されている。
【００２８】
３つのバネ１２により付勢されたサブシャーシ８は、高さボス５ａに挿入されたバネ１２を基準にして見て、ピックアップユニット２の移動方向とほぼ平行な線上に位置するビス１０を回転させることにより、同方向のターンテーブル３の傾きが調整でき、ターンテーブル３に装着される光ディスク１の同方向の傾きを調整することができる。また、３つのバネ１２により付勢されたサブシャーシ８は、高さボス５ａに挿入されたバネ１２を基準にして見て、ピックアップユニット２の移動方向とほぼ直交する線上に位置するビス１１を回転させることにより、同方向のターンテーブル３の傾きが調整でき、ターンテーブル３に装着される光ディスク１の同方向の傾きを調整することができる。これら調整は、すべてＲＦ信号のジッター値を最良に近づけるために行うものである。本実施形態では、これらビス１０、１１による調整は、専ら、サブシャーシ８（ターンテーブル３のディスク載置面３ａ）の傾き調整のためにのみに行われる。
【００２９】
図４に示すように、スピンドルモータ６の回転軸６ａにはボス１３が圧入・固定されており、このボス１３には、その上部から下部に向かって、雄ネジ部１３ａ、雄ネジ部１３ａの外径よりも若干径の大きい円筒部１３ｂ、その外周を６角のナット形状に形成されたナット部１３ｃが、順に形成されている。
【００３０】
上記ボス１３の雄ネジ部１３ａは、ターンテーブル３の中心穴３ｂの上側内周壁に形成した雌ネジ部３ｃに螺合しており、ボス１３の円筒部１３ｂは、ターンテーブル３の中心穴３ｂの下側の円筒内周壁に嵌るようになっている。また、ボス部１３のナット部１３ｃは、ターンテーブル３の最下部から下側に露呈するようになっている。また、ターンテーブル３の下部ボス部に穿設した軸心と直交する貫通ネジ穴３ｄには、固定ビス１４が螺合され、この固定ビス１４の先端がボス１３の円筒部１３ｂに押し付けられることによって、ボス１３（すなわち、スピンドルモータ６の回転軸６ａ）に対してターンテーブル３が固定状態を維持されるようになっている。
【００３１】
ターンテーブル３は、ボス１３の円筒部１３ｂの案内により、ボス１３に真上から垂直に挿入され、ターンテーブル３をボス１３に対して相対回転させることによって、ターンテーブル３の中心穴３ｂの上側の雌ネジ部３ｃに、ボス１３の雄ネジ部１３ａがネジ結合され、このネジ同士の螺合状態を調整することによって、サブシャーシ８からのターンテーブル３のディスク載置面３ａの高さが、適正値に調整される。このターンテーブル３の高さ調整の際には、図５に示すように、ボス１３のナット部１３ｃに回転阻止用治具１７を嵌め合わせて、この回転阻止用治具１７によってボス１３（回転軸６ａ）の回転を阻止した状態で、ターンテーブル３の治具挿入穴３ｅに、先が２つに分かれたマイナスドライバー条の回転用治具１６の先端部１６ａを嵌め合わせて、回転用治具１６を回転させることによって、ボス１３に対してターンテーブル３を回転させることで、ターンテーブル３のディスク載置面３ａの高さ出し（高さ調整）を行うようにされる。そして、このターンテーブルの高さ調整の後に、ターンテーブル３の貫通ネジ穴３ｄに緩められて螺合されていた固定ビス１４を、その先端がボス１３の円筒部１３ｂに強く当るまで締め付けることによって、ターンテーブル３をボス１３（回転軸６ａ）に対して確実に固定するようになっている。
【００３２】
サブシャーシ８からのターンテーブル３のディスク載置面３ａの高さは、予め所定の値に設定されており、当初の組み立て工程時には、その設定された高さに仮調整されるが、最終的な高さはＲＦ信号のジッター値によるところなので、高さの再調整が必要となった場合には、固定ビス１４を緩めて、上記したような手法で、ターンテーブル３の高さの再調整を行うようにされる。
【００３３】
そして、最終的にターンテーブル３の高さ調整が終了した後は、固定ビス１４に接着剤を塗布して、ターンテーブル３とボス１３とを完全に固定するようになっている。
【００３４】
上述したように本実施形態においては、ターンテーブル３のディスク載置面３ａの高さ調整を、サブシャーシ８の傾きを調整することによるディスク載置面３ａの傾き（チルト）調整とは独立したものとしているので、ターンテーブル３の高さ調整によってチルト変化への影響が殆どないようにすることができ、しかも、従来のように３本のビスの全てを調整することによる高さ調整に比すと、高さ調整が極めて簡単・容易なものとなり、かつ、調整の精度も良好なものになる。さらに、必要に応じて、ターンテーブル３の高さ調整を何度でも行え、ターンテーブル３の高さが設計公差を外れた場合であっても、これに容易に対処でき、したがって、従来のように、スピンドルモータ６ごとターンテーブル３を破棄し交換する必要がなくなるので、コストパフォーマンスにも優れたものになる。
【００３５】
なお、上述した実施形態においては、スピンドルモータ６の回転軸６ａにボス１３を圧入し、このボス１３に、雄ネジ部１３ａと円筒部１３ｂとナット部（治具嵌め合い部）１３ｃとを設けた構成としたが、ボス１３を排して、スピンドルモータ６の回転軸６ａに、直接、雄ネジ部と円筒部とナット部（治具嵌め合い部）とを加工・形成するようにしてもよい。
【００３６】
【発明の効果】
以上のように本発明によれば、光ディスク装置において、ターンテーブルの高さ調整を、簡単・容易に、かつ精度よく行え、しかも、チルト変化への影響が殆どないようにするができるので、この点でも調整性に優れたものとすることができる。また、必要に応じて、ターンテーブルの高さ調整を何度でも行え、スピンドルモータごとターンテーブルを破棄し交換する必要もないので、コストダウンにも貢献できる。
【図面の簡単な説明】
【図１】本発明の一実施形態に係る光ディスク装置の平面図である。
【図２】本発明の一実施形態および従来技術に共用される、光ディスク装置の上面から見た斜視図である。
【図３】本発明の一実施形態に係る光ディスク装置の側面図である。
【図４】（ａ）は本発明の一実施形態に係る光ディスク装置における一部切断した要部側面図、（ｂ）は本発明の一実施形態に係る光ディスク装置におけるターンテーブルの平面図、（ｃ）は本発明の一実施形態に係る光ディスク装置におけるスピンドルモータの回転軸に圧入されるボスの拡大側面図である。
【図５】本発明の一実施形態に係る光ディスク装置におけるターンテーブル高さ調整の様子を示す説明図である。
【図６】（ａ）は従来技術に係る光ディスク装置における要部側面図、（ｂ）は従来技術に係る光ディスク装置におけるターンテーブルの平面図である。
【符号の説明】
１  光ディスク
２  ピックアップユニット
２ａ  オブジェクトレンズ
３  ターンテーブル
３ａ  ディスク載置面
３ｂ  中心穴
３ｃ  雌ネジ部
３ｄ  貫通ネジ穴
３ｅ  治具挿入穴（治具嵌め合い部）
４  ガイド軸
５  ベースシャーシ
５ａ  高さボス
５ｂ  支軸
６  スピンドルモータ
６ａ  回転軸
７  スレッドモータ
８  サブシャーシ
９〜１１  ビス
１２  バネ
１３  ボス
１３ａ  雄ネジ部
１３ｂ  円筒部
１３ｃ  ナット部（治具嵌め合い部）
１４  貫通ネジ穴３ｄに螺合される固定ビス
１５  サブシャーシ８にスピンドルモータ６を固定する固定ビス
１６  回転用治具
１７  回転阻止用治具
【図１】
2004220714.tif 000003
【図２】
2004220714.tif 000004
【図３】
2004220714.tif 000005
【図４】
2004220714.tif 000006
【図５】
2004220714.tif 000007
【図６】
2004220714.tif 000008